【手続補正書】
【提出日】平成19年10月31日(2007.10.31)
【手続補正１】
【補正対象書類名】特許請求の範囲
【補正対象項目名】全文
【補正方法】変更
【補正の内容】
【特許請求の範囲】
【請求項１】
実行するための順序に従い複数に分割されたアプリケーションを記憶する第１の記憶手段と、
複数のユーザのそれぞれの端末から送信された情報を受信する受信手段と、
前記受信された情報に応じて前記分割されたアプリケーションの少なくとも１つを、当該情報の送信元のユーザの前記端末に送信する送信手段と、
前記分割された複数のアプリケーションのそれぞれに対応して、該分割されたアプリケーションのＩＤと、該分割されたアプリケーションに対して支払われる価格を示す価格情報と、前記複数のユーザによる該分割されたアプリケーション利用のために送信された回数を示す利用回数と、該分割されたアプリケーションは広告データ付きアプリケーションであるか否かを示す広告有無情報と、を含む関連情報を記憶する第２の記憶手段と、
前記利用回数に応じた割引率の情報を記憶する第５の記憶手段と、
前記第２の記憶手段に記憶されたユーザに送信済みの分割されたアプリケーションの利用回数と前記第５の記憶手段に記憶された該利用回数に応じた割引率とに基づいて、前記ユーザに送信済みの分割されたアプリケーションの次に利用する候補となる分割されたアプリケーションの価格を設定する設定手段と、を備え、
前記送信手段が前記第１の記憶手段の前記分割されたアプリケーションを送信する際、対応する前記広告有無情報が有りを指す場合には、当該分割されたアプリケーションの価格は所定割引後価格を指し、対応する前記広告有無情報が無しを指す場合には、当該分割されたアプリケーションの価格は前記設定手段によって設定された価格を指す、サーバ装置。
【請求項２】
前記送信手段は、単独で実行可能な分割されたアプリケーションを最初に送信することを特徴とする、請求項１に記載のサーバ装置。
【請求項３】
前記第１の記憶手段は、前記分割されたアプリケーションに、それぞれを識別するためのＩＤを関連付けて記憶することを特徴とする、請求項１に記載のサーバ装置。
【請求項４】
前記分割されたアプリケーションには、次に利用する候補となる、分割されたアプリケーションのＩＤが含まれることを特徴とする、請求項３に記載のサーバ装置。
【請求項５】
前記分割されたアプリケーションの少なくとも１つには、最後であることを識別するＩＤが含まれることを特徴とする、請求項３に記載のサーバ装置。
【請求項６】
前記受信手段により前記分割されたアプリケーションのＩＤが受信された場合、
前記送信手段は、前記受信されたＩＤに基づき、前記第１の記憶手段に記憶された該当するアプリケーションを送信する、請求項３に記載のサーバ装置。
【請求項７】
前記価格情報は、対応する前記分割されたアプリケーションが２回目以降に送信されるものである場合、最初に送信される分割されたアプリケーションの価格よりも低価格であることを特徴とする、請求項１に記載のサーバ装置。
【請求項８】
前記第２の記憶手段に記憶された最初に送信される分割されたアプリケーションの利用回数と前記第５の記憶手段に記憶された該利用回数に応じた割引率とに基づいて、２回目以降に送信される分割されたアプリケーションの価格を設定する、請求項１に記載のサーバ装置。
【請求項９】
前記第１の記憶手段には前記分割されたアプリケーションそれぞれについて、広告主が提供した前記広告データを添付したアプリケーションと添付しないアプリケーションとが記憶されて、
前記送信手段は、前記記憶された広告の有無情報が有りの場合に対応する分割されたアプリケーションを送信する際、前記第１の記憶手段の該分割されたアプリケーションについての前記広告データを添付したアプリケーションを送信することを特徴とする、請求項１に記載のサーバ装置。
【請求項１０】
前記関連情報は、対応する前記分割されたアプリケーションに対応するアプリケーション名を含むことを特徴とする、請求項１に記載のサーバ装置。
【請求項１１】
前記複数のユーザのそれぞれに対応するユーザ情報を記憶する第３の記憶手段をさらに備えた、請求項１に記載のサーバ装置。
【請求項１２】
前記ユーザ情報は、対応するユーザを識別するためのユーザＩＤおよびパスワードを含むことを特徴とする、請求項１１に記載のサーバ装置。
【請求項１３】
前記受信手段により前記ユーザＩＤおよび前記パスワードが受信された場合、前記受信されたユーザＩＤおよびパスワードと、前記第３の記憶手段に記憶された各ユーザのユーザＩＤおよびパスワードとを照合し一致するか否かを判断する第１の判断手段をさらに備えた、請求項１２に記載のサーバ装置。
【請求項１４】
前記第１の判断手段により、前記受信されたユーザＩＤおよびパスワードは、前記第３の記憶手段に記憶されたユーザＩＤおよびパスワードと一致しないと判断された場合、前記送信手段による送信動作を禁止する禁止手段をさらに備えた、請求項１３に記載のサーバ装置。
【請求項１５】
前記ユーザ情報は、対応するユーザによるアプリケーション利用のために送信されたアプリケーションの履歴を示す利用履歴を含むことを特徴とする、請求項１１に記載のサーバ装置。
【請求項１６】
前記第１の記憶手段にはさらに、広告データが記憶されて、
前記記憶された利用履歴に基づいて、前記第１の記憶手段に記憶されている適切な広告データを抽出する抽出手段と、
前記抽出された広告データを送信する広告データ送信手段とをさらに備えた、請求項１５に記載のサーバ装置。
【請求項１７】
前記ユーザ情報は、分割されたアプリケーションの対価の支払い用の残高を示す残高情報を含むことを特徴とする、請求項１１に記載のサーバ装置。
【請求項１８】
前記残高情報と、ユーザが要求する前記分割されたアプリケーションについての前記価格情報とを比較する比較手段をさらに備え、
前記送信手段は、前記比較手段による比較の結果、前記残高情報が前記価格情報よりも大きいまたは等しい場合に前記分割されたアプリケーションを送信することを特徴とする、請求項１７に記載のサーバ装置。
【請求項１９】
前記分割されたアプリケーションの対価の支払いに用いられるプリペイド情報を記憶する第４の記憶手段をさらに備えた、請求項１７に記載のサーバ装置。
【請求項２０】
前記プリペイド情報は、プリペイドＩＤおよびパスワードを含むことを特徴とする、請求項１９に記載のサーバ装置。
【請求項２１】
前記受信手段により前記プリペイドＩＤおよび前記パスワードが受信された場合、前記受信されたプリペイドＩＤおよびパスワードと、前記第４の記憶手段に記憶されたプリペイドＩＤおよびパスワードとが一致するか否かを判断する第２の判断手段をさらに備えた、請求項２０に記載のサーバ装置。
【請求項２２】
前記プリペイド情報は、前記残高情報に加算される金額情報を含むことを特徴とする、請求項１９に記載のサーバ装置。
【請求項２３】
前記送信手段により前記分割されたアプリケーションが送信される毎に、送信先のユーザに対して課金を行なう課金手段をさらに備え、
前記課金手段は、前記第１の判断手段により、受信したユーザＩＤおよびパスワードと前記第３の記憶手段に記憶したユーザＩＤおよびパスワードとが一致していると判断されたとき、課金を行なうことを特徴とする、請求項１４に記載のサーバ装置。
【請求項２４】
前記送信手段により前記分割されたアプリケーションが送信される毎に、送信先のユーザに対して課金を行なう課金手段をさらに備え、
前記比較手段による比較の結果が、受信したユーザＩＤおよびパスワードを含む前記ユーザ情報の前記残高情報が、送信する分割されたアプリケーションの価格情報よりも大きいまたは等しいことを示す場合に、前記残高情報から前記価格情報を差し引くことを特徴とする、請求項１８に記載のサーバ装置。
【請求項２５】
前記送信手段により前記分割されたアプリケーションの送信が完了したか否かを確認する確認手段をさらに備え、
前記課金手段は、前記確認手段により送信が完了したことを確認した場合に課金を行なうことを特徴とする、請求項２３または２４に記載のサーバ装置。
【請求項２６】
コンピュータが実行するアプリケーション通信方法であって、
前記コンピュータは、
実行するための順序に従い複数に分割されたアプリケーションを記憶する第１の記憶手段と、
前記分割された複数のアプリケーションのそれぞれに対応して、該分割されたアプリケーションのＩＤと、該分割されたアプリケーションに対して支払われる価格を示す価格情報と、前記複数のユーザによる該分割されたアプリケーション利用のために送信された回数を示す利用回数と、該分割されたアプリケーションは広告データ付きアプリケーションであるか否かを示す広告有無情報と、を含む関連情報を記憶する第２の記憶手段と、
前記利用回数に応じた割引率の情報を記憶する第５の記憶手段と、を備え、
前記アプリケーション通信方法は、
受信手段が、複数のユーザのそれぞれの端末から送信された情報を受信する受信ステップと、
送信手段が、前記受信された情報に応じて前記分割されたアプリケーションの少なくとも１つを、当該情報の送信元のユーザの前記端末に送信する送信ステップと、
設定手段が、前記第２の記憶手段に記憶されたユーザに送信済みの分割されたアプリケーションの利用回数と前記第５の記憶手段に記憶された該利用回数に応じた割引率とに基づいて、前記ユーザに送信済みの分割されたアプリケーションの次に利用する候補となる分割されたアプリケーションの価格を設定する設定ステップと、を備え、
前記送信ステップよって、前記第１の記憶手段の前記分割されたアプリケーションを送信する際、対応する前記広告有無情報が有りを指す場合には、当該分割されたアプリケーションの価格は所定割引後価格を指し、対応する前記広告有無情報が無しを指す場合には、当該分割されたアプリケーションの価格は前記設定ステップによって設定された価格を指す、アプリケーション通信方法。
【請求項２７】
前記送信ステップでは、単独で実行可能な分割されたアプリケーションを最初に送信することを特徴とする、請求項２６に記載のアプリケーション通信方法。
【請求項２８】
前記第１の記憶手段は、前記分割されたアプリケーションに、それぞれを識別するためのＩＤを関連付けて記憶することを特徴とする、請求項２６に記載のアプリケーション通信方法。
【請求項２９】
前記分割されたアプリケーションには、次に利用する候補となる、分割されたアプリケーションのＩＤが含まれることを特徴とする、請求項２８に記載のアプリケーション通信方法。
【請求項３０】
前記分割されたアプリケーションの少なくとも１つには、最後であることを識別するＩＤが含まれることを特徴とする、請求項２８に記載のアプリケーション通信方法。
【請求項３１】
前記受信ステップにより前記分割されたアプリケーションのＩＤが受信された場合、
前記送信ステップでは、前記受信されたＩＤに基づき、前記第１の記憶手段に記憶された該当するアプリケーションを送信する、請求項２８に記載のアプリケーション通信方法。
【請求項３２】
前記価格情報は、対応する前記分割されたアプリケーションが２回目以降に送信されるものである場合、最初に送信される分割されたアプリケーションの価格よりも低価格であることを特徴とする、請求項２６に記載のアプリケーション通信方法。
【請求項３３】
前記第２の記憶手段に記憶された最初に送信される分割されたアプリケーションの利用回数と前記第５の記憶手段に記憶された該利用回数に応じた割引率とに基づいて、２回目以降に送信される分割されたアプリケーションの価格を設定する、請求項２６に記載のアプリケーション通信方法。
【請求項３４】
前記第１の記憶手段には前記分割されたアプリケーションそれぞれについて、広告主が提供した前記広告データを添付したアプリケーションと添付しないアプリケーションとが記憶されて、
前記送信ステップでは、前記記憶された広告の有無情報が有りの場合に対応する分割されたアプリケーションを送信する際、前記第１の記憶手段の該分割されたアプリケーションについての前記広告データを添付したアプリケーションを送信することを特徴とする、請求項２６に記載のアプリケーション通信方法。
【請求項３５】
前記関連情報は、対応する前記分割されたアプリケーションに対応するアプリケーション名を含むことを特徴とする、請求項２６に記載のアプリケーション通信方法。
【請求項３６】
前記コンピュータは、前記複数のユーザのそれぞれに対応するユーザ情報を記憶する第３の記憶手段をさらに備えた、請求項２６に記載のアプリケーション通信方法。
【請求項３７】
前記ユーザ情報は、対応するユーザを識別するためのユーザＩＤおよびパスワードを含むことを特徴とする、請求項３６に記載のアプリケーション通信方法。
【請求項３８】
前記受信ステップにより前記ユーザＩＤおよび前記パスワードが受信された場合、前記受信されたユーザＩＤおよびパスワードと、前記第３の記憶手段に記憶された各ユーザのユーザＩＤおよびパスワードとを照合し一致するか否かを判断する第１の判断ステップをさらに備えた、請求項３７に記載のアプリケーション通信方法。
【請求項３９】
前記第１の判断ステップにより、前記受信されたユーザＩＤおよびパスワードは、前記第３の記憶手段に記憶されたユーザＩＤおよびパスワードと一致しないと判断された場合、前記送信ステップによる送信動作を禁止する、請求項３８に記載のアプリケーション通信方法。
【請求項４０】
前記ユーザ情報は、対応するユーザによるアプリケーション利用のために送信されたアプリケーションの履歴を示す利用履歴を含むことを特徴とする、請求項３６に記載のアプリケーション通信方法。
【請求項４１】
前記第１の記憶手段にはさらに、広告データが記憶されて、
抽出手段が、前記記憶された利用履歴に基づいて、前記第１の記憶手段に記憶されている適切な広告データを抽出する抽出ステップと、
広告データ送信手段が、前記抽出された広告データを送信する広告データ送信ステップとをさらに備えた、請求項４０に記載のアプリケーション通信方法。
【請求項４２】
前記ユーザ情報は、分割されたアプリケーションの対価の支払い用の残高を示す残高情報を含むことを特徴とする、請求項３６に記載のアプリケーション通信方法。
【請求項４３】
比較手段が、前記残高情報と、ユーザが要求する前記分割されたアプリケーションについての前記価格情報とを比較する比較ステップをさらに備え、
前記送信ステップでは、前記比較ステップによる比較の結果、前記残高情報が前記価格情報よりも大きいまたは等しい場合に前記分割されたアプリケーションを送信することを特徴とする、請求項４２に記載のアプリケーション通信方法。
【請求項４４】
前記コンピュータは、前記分割されたアプリケーションの対価の支払いに用いられるプリペイド情報を記憶する第４の記憶手段をさらに備えた、請求項４２に記載のアプリケーション通信方法。
【請求項４５】
前記プリペイド情報は、プリペイドＩＤおよびパスワードを含むことを特徴とする、請求項４４に記載のアプリケーション通信方法。
【請求項４６】
第２の判断手段は、前記受信ステップにより前記プリペイドＩＤおよび前記パスワードが受信された場合、前記受信されたプリペイドＩＤおよびパスワードと、前記第４の記憶手段に記憶されたプリペイドＩＤおよびパスワードとが一致するか否かを判断する第２の判断ステップをさらに備えた、請求項４５に記載のアプリケーション通信方法。
【請求項４７】
前記プリペイド情報は、前記残高情報に加算される金額情報を含むことを特徴とする、請求項４４に記載のアプリケーション通信方法。
【請求項４８】
課金手段が、前記送信ステップにより前記分割されたアプリケーションが送信される毎に、送信先のユーザに対して課金を行なう課金ステップをさらに備え、
前記課金ステップでは、前記第１の判断ステップにより、受信したユーザＩＤおよびパスワードと前記第３の記憶手段に記憶したユーザＩＤおよびパスワードとが一致していると判断されたとき、課金を行なうことを特徴とする、請求項３９に記載のアプリケーション通信方法。
【請求項４９】
課金手段が、前記送信ステップにより前記分割されたアプリケーションが送信される毎に、送信先のユーザに対して課金を行なう課金ステップをさらに備え、
前記比較ステップによる比較の結果が、受信したユーザＩＤおよびパスワードを含む前記ユーザ情報の前記残高情報が、送信する分割されたアプリケーションの価格情報よりも大きいまたは等しいことを示す場合に、前記残高情報から前記価格情報を差し引くことを特徴とする、請求項４３に記載のアプリケーション通信方法。
【請求項５０】
確認手段が、前記送信ステップにより前記分割されたアプリケーションの送信が完了したか否かを確認する確認ステップをさらに備え、
前記課金ステップでは、前記確認ステップにより送信が完了したことを確認した場合に課金を行なうことを特徴とする、請求項４８または４９に記載のアプリケーション通信方法。
【請求項５１】
請求項２６から５０のいずれかに記載のアプリケーション通信方法をコンピュータ実行させるためのアプリケーション通信プログラムを記録したコンピュータ読み取り可能な記録媒体。
【手続補正２】
【補正対象書類名】明細書
【補正対象項目名】発明の名称
【補正方法】変更
【補正の内容】
【発明の名称】サーバ装置、アプリケーション通信方法、ならびにアプリケーション通信プログラムを記録した記録媒体
【手続補正３】
【補正対象書類名】明細書
【補正対象項目名】０００１
【補正方法】変更
【補正の内容】
【０００１】
本発明はサーバ装置、アプリケーション通信方法、ならびにアプリケーション通信プログラムを記録した記録媒体に関し、特に、複数に分割されたアプリケーションを、データ通信路を介して通信するサーバ装置、アプリケーション通信方法、ならびにアプリケーション通信プログラムを記録した記録媒体に関する。
【手続補正４】
【補正対象書類名】明細書
【補正対象項目名】００１３
【補正方法】変更
【補正の内容】
【００１３】
本発明はこれらの実状に鑑み考え出されたものであり、その第１の目的は、通信を開始してから短時間で所望のアプリケーションを利用することが可能となるサーバ装置、アプリケーション通信方法、ならびにアプリケーション通信プログラムを記録したコンピュータ読み取り可能な記録媒体を提供することである。
【手続補正５】
【補正対象書類名】明細書
【補正対象項目名】００１４
【補正方法】変更
【補正の内容】
【００１４】
また、第２の目的は、適切な料金が課金されることにより、アプリケーション通信の利用促進を図ることのできるサーバ装置、アプリケーション通信方法、ならびにアプリケーション通信プログラムを記録したコンピュータ読み取り可能な記録媒体を提供することである。
【手続補正６】
【補正対象書類名】明細書
【補正対象項目名】００７７
【補正方法】削除
【補正の内容】
【手続補正７】
【補正対象書類名】明細書
【補正対象項目名】００７８
【補正方法】削除
【補正の内容】
【手続補正８】
【補正対象書類名】明細書
【補正対象項目名】００７９
【補正方法】削除
【補正の内容】
【手続補正９】
【補正対象書類名】明細書
【補正対象項目名】００８０
【補正方法】削除
【補正の内容】
【手続補正１０】
【補正対象書類名】明細書
【補正対象項目名】００８１
【補正方法】削除
【補正の内容】
【手続補正１１】
【補正対象書類名】明細書
【補正対象項目名】００８２
【補正方法】削除
【補正の内容】
【手続補正１２】
【補正対象書類名】明細書
【補正対象項目名】００８３
【補正方法】削除
【補正の内容】
【手続補正１３】
【補正対象書類名】明細書
【補正対象項目名】００８４
【補正方法】削除
【補正の内容】
【手続補正１４】
【補正対象書類名】明細書
【補正対象項目名】００８５
【補正方法】削除
【補正の内容】
【手続補正１５】
【補正対象書類名】明細書
【補正対象項目名】００８６
【補正方法】削除
【補正の内容】
【手続補正１６】
【補正対象書類名】明細書
【補正対象項目名】００８７
【補正方法】削除
【補正の内容】
【手続補正１７】
【補正対象書類名】明細書
【補正対象項目名】００８８
【補正方法】削除
【補正の内容】
【手続補正１８】
【補正対象書類名】明細書
【補正対象項目名】００８９
【補正方法】削除
【補正の内容】
【手続補正１９】
【補正対象書類名】明細書
【補正対象項目名】００９０
【補正方法】削除
【補正の内容】
【手続補正２０】
【補正対象書類名】明細書
【補正対象項目名】００９１
【補正方法】削除
【補正の内容】
【手続補正２１】
【補正対象書類名】明細書
【補正対象項目名】００９２
【補正方法】削除
【補正の内容】
【手続補正２２】
【補正対象書類名】明細書
【補正対象項目名】００９３
【補正方法】削除
【補正の内容】
【手続補正２３】
【補正対象書類名】明細書
【補正対象項目名】００９４
【補正方法】削除
【補正の内容】
【手続補正２４】
【補正対象書類名】明細書
【補正対象項目名】０１２０
【補正方法】削除
【補正の内容】
【手続補正２５】
【補正対象書類名】明細書
【補正対象項目名】０１２１
【補正方法】削除
【補正の内容】
【手続補正２６】
【補正対象書類名】明細書
【補正対象項目名】０１２２
【補正方法】削除
【補正の内容】
【手続補正２７】
【補正対象書類名】明細書
【補正対象項目名】０１２３
【補正方法】削除
【補正の内容】
【手続補正２８】
【補正対象書類名】明細書
【補正対象項目名】０１２４
【補正方法】削除
【補正の内容】
【手続補正２９】
【補正対象書類名】明細書
【補正対象項目名】０１２５
【補正方法】削除
【補正の内容】
【手続補正３０】
【補正対象書類名】明細書
【補正対象項目名】０１２６
【補正方法】削除
【補正の内容】
【手続補正３１】
【補正対象書類名】明細書
【補正対象項目名】０１２７
【補正方法】削除
【補正の内容】
【手続補正３２】
【補正対象書類名】明細書
【補正対象項目名】０１２８
【補正方法】削除
【補正の内容】
【手続補正３３】
【補正対象書類名】明細書
【補正対象項目名】０１２９
【補正方法】削除
【補正の内容】
【手続補正３４】
【補正対象書類名】明細書
【補正対象項目名】０１３０
【補正方法】削除
【補正の内容】
【手続補正３５】
【補正対象書類名】明細書
【補正対象項目名】０１３１
【補正方法】削除
【補正の内容】
【手続補正３６】
【補正対象書類名】明細書
【補正対象項目名】０１６４
【補正方法】削除
【補正の内容】
【手続補正３７】
【補正対象書類名】明細書
【補正対象項目名】０１６５
【補正方法】削除
【補正の内容】
【手続補正３８】
【補正対象書類名】明細書
【補正対象項目名】０１６６
【補正方法】削除
【補正の内容】
【手続補正３９】
【補正対象書類名】明細書
【補正対象項目名】０１６７
【補正方法】削除
【補正の内容】
【手続補正４０】
【補正対象書類名】明細書
【補正対象項目名】０１６８
【補正方法】削除
【補正の内容】
【手続補正４１】
【補正対象書類名】明細書
【補正対象項目名】０１６９
【補正方法】削除
【補正の内容】
【手続補正４２】
【補正対象書類名】明細書
【補正対象項目名】０１７０
【補正方法】削除
【補正の内容】
【手続補正４３】
【補正対象書類名】明細書
【補正対象項目名】０１７１
【補正方法】削除
【補正の内容】
【手続補正４４】
【補正対象書類名】明細書
【補正対象項目名】０１７２
【補正方法】削除
【補正の内容】
【手続補正４５】
【補正対象書類名】明細書
【補正対象項目名】０１７３
【補正方法】削除
【補正の内容】
【手続補正４６】
【補正対象書類名】明細書
【補正対象項目名】０１７４
【補正方法】削除
【補正の内容】
【手続補正４７】
【補正対象書類名】明細書
【補正対象項目名】０１７５
【補正方法】削除
【補正の内容】